(57)【要約】      （修正有）【課題】安定した取り外し強度を実現可能なカバー具及びこれを備えた医療用複室容器キットを提供する。【解決手段】使用時に開封可能な仕切り部によって仕切られた複数の収容室を有するとともに、吊掛穴が形成された複室容器に、着脱可能に取り付けられるカバー具であって、複室容器を狭持可能に構成される第１及び第２挟持部材２１，２２と、第１及び第２挟持部材を互いに揺動可能に連結する連結部２３とを備える。さらに、第１挟持部材２１に取り付けられ、吊掛穴に挿通され、凹部を有する第１保持部２１２と、第２挟持部材２２に取り付けられ、第１及び第２挟持部材が互いに重なり合ったときに、第１保持部の凹部に嵌まる第２保持部２２１と、第１保持部の内周面から突出する第１係止片２１４と、第２保持部の外周面に取り付けられ第１係止片と係止する第２係止片２２２と、を備える。【選択図】図２
0003173696.tif 000002
【実用新案登録請求の範囲】
【請求項１】
使用時に開封可能な仕切り部によって仕切られた複数の収容室を有するとともに、吊掛穴が形成された複室容器に、着脱可能に取り付けられるカバー具であって、
前記複室容器を狭持可能に構成される第１及び第２挟持部材と、
前記第１及び第２挟持部材を互いに揺動可能に連結する連結部と、
前記第１挟持部材に取り付けられ、前記吊掛穴に挿通される、凹部を有する第１保持部と、
前記第２挟持部材に取り付けられ、前記第１及び第２挟持部材が互いに重なり合ったときに、前記第１保持部の凹部に嵌まる第２保持部と、
前記第１保持部の内周面から突出する第１係止片と、
前記第２保持部の外周面に取り付けられ前記第１係止片と係止する第２係止片と、
を備え、
前記第２係止片は、前記第１係止片と対向する対向面と、当該対向面と連続し前記第２保持部の嵌まる嵌合方向に延びる延在面とを有し、前記対向面と延材部との境界は曲面で形成されている、カバー具。
【請求項２】
前記境界の曲面の曲率半径が０．１５〜０．４５ｍｍである、請求項１に記載のカバー具。
【請求項３】
前記嵌合方向における前記第１係止片と第２係止片との間の距離が０．１５〜０．４５ｍｍである、請求項１または２に記載のカバー具。
【請求項４】
引張降伏応力が３００ＭＰａ以上であるポリプロピレンで形成されている、請求項１から３のいずれかに記載のカバー具。
【請求項５】
曲げ弾性率が１９００ＭＰａ以下であるポリプロピレンで形成されている、請求項１から４のいずれかに記載のカバー具。
【請求項６】
前記連結部は、前記両狭持部材の間に配置され帯状に延びる本体片、当該本体片と前記第１狭持部材とを連結する第１連結片、及び前記本体片と前記第２狭持部材とを連結する第２連結片を備えており、前記第１及び第２連結片は厚さが異なる、請求項１から５のいずれかに記載のカバー具。
【請求項７】
前記第１及び第２連結片のうち、厚さが小さい前記連結片の一部には、厚さが大きい前記連結片と略同じ厚さの補強部が設けられている、請求項６に記載のカバー具。
【請求項８】
使用時に開封可能な仕切り部によって仕切られた複数の収容室を有するとともに、吊掛穴が形成された複室容器と、
前記吊掛穴を塞ぐように着脱自在に取り付けられ、請求項１から７のいずれかに記載のカバー具と
を備えている、複室容器キット。
【考案の詳細な説明】
【技術分野】
【０００１】
本考案は、使用時に開封可能な仕切り部によって仕切られた複数の収容室を有するとともに、吊掛穴が形成された複室容器に着脱可能に取り付けられるカバー具、及びこれを備える複室容器キットに関する。
【背景技術】
【０００２】
静脈注射により患者に投与される薬剤の中には、予め配合すると経時変化を起こすような不安定な薬剤がある。経時変化としては、例えばアミノ酸輸液とブドウ糖輸液を配合して保存しておくと、褐変するいわゆるメイラード反応が挙げられる。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、次のような医療用複室容器が用いられることが多い。この医療用複室容器は、薬剤を収容する２つの収容室を備えたプラスチックフィルム製の容器本体と、この容器本体から薬剤を排出する排出部とを備えている。２つの収容室は、容器本体の内壁面同士を熱融着した仕切り部によって仕切られており、少なくとも一方の収容室には液状の薬剤が収容されている。使用に際しては、液状薬剤が収容された、いずれかの収容室の中央付近を押圧等行うことで収容室内の圧力を高めて仕切り部を開封する。これによって両収容室が連通し、２つの薬剤が混合される。その後、容器本体に形成された吊掛穴をガートル台のフックに引っ掛けて複室容器を吊り下げるとともに、排出部をから混合後の薬剤を患者に投与する。
【０００４】
ところで、上記のような複室容器では、薬剤の混合前の薬剤が排出部から排出されるおそれがあることが問題となっており、これを防止するため、種々の提案がなされている。例えば、特許文献１には、吊掛穴を閉鎖するカバー具が開示されており、このカバー部材を取り外さないと複室容器の吊り下げができないようになっている。また、このカバー部材に注意喚起の表示を施すことで、カバー具の取り外しの際に、この表示に注意を引かせることができる。その結果、排出部の開封前に薬剤の混合を行わせることの注意喚起が可能となる。
【先行技術文献】
【特許文献】
【０００５】
【特許文献１】登録実用新案第３１１８２９１号公報
【考案の開示】
【考案が解決しようとする課題】
【０００６】
上記のようなカバー具は、樹脂材料で成形されることが多いため、成形不良が生じると、取り外しが困難であったり、あるいは輸送中に外れてしまうという問題があった。また、取り外しに係る係止片は寸法が小さいため、寸法誤差内であっても、取り外しの強度が大きく変化する可能性もある。また、引張降伏応力や引張破壊呼びひずみが特定値以下のものを使用すると、カバー具を作成する際の熱の上がり下がりによって、開口部が開いた状態に変形することがあり、さらに取り外しの強度が所望の値から大きく変化する可能性もある。
【０００７】
本考案は、上記問題を解決するためになされたものであり、安定した取り外し強度を実現可能なカバー具及びこれを備えた複室容器キットを提供することを目的とする。
【課題を解決するための手段】
【０００８】
本考案は、使用時に開封可能な仕切り部によって仕切られた複数の収容室を有するとともに、吊掛穴が形成された複室容器に、着脱可能に取り付けられるカバー具であって、前記複室容器を狭持可能に構成される第１及び第２挟持部材と、前記第１及び第２挟持部材を互いに揺動可能に連結する連結部と、前記第１挟持部材に取り付けられ、前記吊掛穴に挿通され、凹部を有する第１保持部と、前記第２挟持部材に取り付けられ、前記第１及び第２挟持部材が互いに重なり合ったときに、前記第１保持部の凹部に嵌まる第２保持部と、前記第１保持部の内周面から突出する第１係止片と、前記第２保持部の外周面に取り付けられ前記第１係止片と係止する第２係止片と、を備え、前記第２係止片は、前記第１係止片と対向する対向面と、当該対向面と連続し前記第２保持部の嵌まる方向に延びる延在面とを有し、前記対向面と延材部との境界は曲面で形成されている。
【０００９】
この構成によれば、第２係止片が、第１係止片と対向する対向面と、この対向面と連続し第２保持部の嵌まる方向に延びる延在面とを有するように構成し、さらに対向面と延材部との境界を曲面で形成している。すなわち、係止片の一方に曲面を形成しているため、平面同士を係止させるよりも成形不良が発生したときの取り外し強度の変化を小さくすることができる。例えば、平面同士の係止であれば、両平面のなす角度がずれることで設定された取り外し強度が大きく変化するおれそがあるが、本発明のように一方を曲面にした上で取り外し強度を設定しておけば、取り外し時の両係止片の接触面積が小さいため、成形不良が生じても取り外し強度が大きく変化することを防止することができる。したがって、安定した取り外し強度を実現することができる。
【００１０】
上記境界の曲面の曲率半径は、０．１５〜０．４５ｍｍとすることが好ましい。０．１５ｍｍより小さいと、曲面を形成する効果が小さくなり、０．４５ｍｍよりも大きいと、取り外し時の接触面積が小さすぎて輸送中や使用時に落下した際に外れるおそれがあることによる。
【００１１】
上記カバー具において、嵌合方向における第１係止片と第２係止片との間の距離は、０．１５〜０．４５ｍｍとすることが好ましい。０．４５ｍｍよりも大きいと、両係止片の距離が大きすぎて、輸送中に複室容器から離脱するおそれがある。一方、０．１５ｍｍよりも小さいと、成形不良時に両係止片が干渉する可能性があることによる。
【００１２】
上記カバー具は、種々の材料で形成することができるが、例えば、引張降伏応力が３００ＭＰａ以上であるポリプロピレンで形成されてすることができる。
【００１３】
また、上記カバー具は、曲げ弾性率が１９００ＭＰａ以下であるポリプロピレンで形成されることが出来る。
【００１４】
また、上記カバー具において、連結部を、両狭持部材の間に配置され帯状に延びる本体片、本体片と第１狭持部材とを連結する第１連結片、及び本体片と第２狭持部材とを連結する第２連結片とで構成し、第１及び第２連結片の厚さを異なるように構成することができる。これによって、第２挟持部材を連結部を介して折る際に、折り線となる箇所を限定することが出来る。
【００１５】
このとき、第１及び第２連結片のうち、厚さが小さい連結片の一部には、厚さが大きい連結片と同じ厚さの補強部を設けることができる。これにより、第２挟持部材を連結部を介して折る際に、第２連結片にクラックが発生することを防止することが出来る。
【００１６】
本考案に係る複室容器キットは、使用時に開封可能な仕切り部によって仕切られた複数の収容室を有するとともに、吊掛穴が形成された複室容器と、前記吊掛穴を塞ぐように着脱自在に取り付けられた上記カバー具と、を備えている。
【考案の効果】
【００１７】
本考案によれば、安定した取り外し強度を実現することができる。
【図面の簡単な説明】
【００１８】
【図１】本考案に係る複室容器キットの一実施形態を示す平面図である。
【図２】複室容器に取り付けられる前のカバー具の平面図（ａ）及び断面図（ｂ）である。
【図３】図１のカバー具のヒンジ部の拡大図である。
【図４】複室容器にカバー具が取り付けられた状態を示す断面図である。
【図５】第１及び第２挟持部材が固定位置にあるときの第１係止片及び第２係止片の位置関係を示す拡大断面図である。
【図６】比較例における第１係止片及び第２係止片の位置関係を示す拡大断面図である。
【図７】係止片の解除に要する強度の測定方法を示す概略図である。
【考案を実施するための形態】
【００１９】
以下、本考案に係る複室容器キットの一実施形態について図面を参照しつつ説明する。図１は、本考案に係る複室容器キットの実施形態を示す平面図である。
【００２０】
図１に示すように、本実施形態に係る複室容器キットは、医療用の複室容器１と、これに取り付けられるカバー具２とで構成されている。まず、複室容器１から説明する。この複室容器１は、可撓性のある柔軟な透明プラスチックで形成された袋状の容器本体１１を有しており、この容器本体１１の中に、開封可能な仕切り部１１０で仕切られた２つの収容室、つまり、図１の上下方向に並ぶ第１収容室１１１及び第２収容室１１２が形成されている。各収容室１１１，１１２にはそれぞれ液状の薬剤ａ，ｂが収容されている。また、容器本体１１の上部には、この容器を吊り下げるための円形の吊掛穴１１３が形成される一方、容器本体１１の下部には第２収容室１１２と連通して、収容室１１１，１１２内の薬剤を排出するための排出部１２が連結されている。そして、容器本体１１の上部には、吊掛穴１１３を閉鎖するように、カバー具２が取り付けられている。なお、本実施形態のような複室容器では、後述するような仕切り部１１０の開封のため、少なくとも一方の収容室に液状の薬剤が収容されていればよい。
【００２１】
上述した仕切り部１１０は、容器本体１１の内壁面同士を熱融着することで形成された易剥離シールであり、液状の薬剤が収容されたいずれかの収容室１１１，１１２を押圧することで開封する。すなわち、押圧された収容室の内圧を上昇させることで、容器本体１１の内壁面を互いに離間させて仕切り部１１０を開封する。これにより、両収容室１１１，１１２が連通し、薬剤を混合することができる。
【００２２】
続いて、カバー具２について、図２を参照しつつ説明する。図２は、複室容器に取り付けられる前のカバー具の平面図（ａ）及び断面図（ｂ）である。同図に示すように、カバー具２は、容器本体１１の上端部の両面を挟持し、板状に形成された一対の第１挟持部材２１及び第２挟持部材２２を有している。これら両挟持部材２１，２２は、ヒンジ部（連結部）２３を介して連結されており、互いに揺動することで、後述する図３に示すように互いに重なり合った固定位置と、図２に示すようにヒンジ部２３を挟んで平面上に延びる解除位置を取り得るようになっている。また、各挟持部材２１，２２において、ヒンジ部２３と反対側の端部は、円弧状に形成されている。以下の説明では、各挟持部材２１，２２において、重なり合ったときに互いに対向する面を「前面」（図２（ｂ）の左側）、それとは反対側の面を「背面」と称することにする。また、両挟持部材２１，２２が並ぶ方向を「連結方向」（図２（ａ）の上下方向）、それとは垂直な方向を「幅方向」（図２（ａ）の左右方向）と称することとする。
【００２３】
図２に示すように、第１挟持部材２１の中央には、円形状の貫通孔２１１が形成されており、この貫通孔２１１の周縁に沿って、前面側に突出する円筒状の第１保持部２１２が形成されている。第１保持部２１２は、複室容器１の吊掛穴１１３に挿入可能な大きさに形成されており、その前面側の開口周縁には、径方向外方へ突出する３つの抜け止め片２１３が形成されている。一方、第１保持部２１２の内周面には、径方向内方へ突出する環状の第１係止片２１４が形成されている。さらに、第１保持部２１２の背面側の開口には、この開口を横断する棒状の係合棒２１５が形成されている。
【００２４】
次に、第２挟持部材２２について説明する。第２挟持部材２２の前面の中央には、円筒状の第２保持部２２１が形成されている。第２保持部２２１は、両挟持部材２１，２２が固定位置にあるときに、第１保持部２１２と対向する位置に配置されており、さらに第１保持部２１２に挿入可能な大きさに形成されている。第２保持部２２１の開口において、第２挟持部材２２側には径方向外方に突出する平面視円弧状の第２係止片２２２が形成されており、第１挟持部材２１の第１係止片２１４と係止するようになっている。また、第２保持部２２１の開口には、幅方向の対向する位置に一対の切欠き２２３が形成されており、この切欠き２２３に第１挟持部材２１の係合棒２１５の両端が嵌まるようになっている。さらに、第２挟持部材２２の前面には、第２保持部２２１の周囲を囲むように円筒状の押圧部２２４が形成されており、両挟持部材２１，２２が固定位置にあるときに、第２保持部２２１と押圧部２２４との間に第１保持部２１２が配置されるようになっている。また、第２狭持部材２２の背面には、図１に示すように、複室容器１の仕切り部１１０の開封を促す「開通確認」などの文字が表示されている。
【００２５】
次に、ヒンジ部２３について、図３を参照しつつ説明する。図３は、ヒンジ部２３の拡大平面図である。同図に示すように、ヒンジ部２３は、両狭持部材２１，２２の間で帯状に延びる本体片２３０、この本体片２３０と第１狭持部材２１とを連結する第１連結片２３１、及び本体片２３０と第２狭持部材２２とを連結する第２連結片２３２とで構成されている。第１連結片２３１及び第２連結片２３２も帯状に形成されているが、本体片２３０と比べて薄肉に形成されており、これらが折れ曲がることで、両狭持部材２１、２２が対向するように重ね合わされる。第２連結片２３２は、平均すると、第１連結片２３１に比べて厚くなっており、ヒンジ部２３を折り曲げる際には、まず第１連結片２３１から折れ曲がるようになっている。これにより、開栓強度を一定にすることができる。第１連結片２３１と第２連結片２３２の厚さの差は、０．１ｍｍ以内でよいが、厚さが小さい第１連結片２３１の厚さは０．３ｍｍ以上であることが好ましい。０．３ｍｍより小さくなると、第１挟持部材２１をヒンジ部２３を介して折りたたむ際に、折り線となる箇所、つまり第１連結片２３１にクラックが生じる可能性があることによる。この観点から、第１連結片２３１には、第２連結片２３２とほぼ同様の厚さの補強部を設けることができる。図３に示すように、補強部２３１１は、第１連結片２３１の延びる方向に、当該第１連結片２３１の一部として複数箇所に設けられている。これにより、上述したクラックを防止することができる。また、このカバー具を、例えば、樹脂による射出成形で一体的に作製する場合には、第１狭持部材２１側に樹脂を注入するゲート２１００を設けておけば、厚さの小さい第１連結片２３１よりも、厚さの大きい第２連結片２３２が、ゲート２１００から遠くなるので、成形上、好ましい。
【００２６】
カバー具２は、一体成形されることが好ましく、樹脂材料であれば、特には限定されないが、例えば、ポリプロピレン、ポリエステル等剛性を有するものを用いることができる。特に、引張降伏応力が１５０ＭＰａ以上であるか、曲げ弾性率が１９００ＭＰｓ以下であるポリプロピレン製であることが好ましい。引張降伏応力が３５０ＭＰａを下回ると、成形時とその後の冷却時の温度差によって狭持部材２１，２２に反りが発生し、両狭持部材２１，２２の先端同士の隙間が大きくなり、開いた状態に変形するおそれがある。また、曲げ弾性率が１９００ＭＰｓを上回ると、後述する第１挟持部材２２をヒンジ部２３を介して折りたたむ工程の際に、ヒンジ部２３にクラックが発生する恐れがある。
【００２７】
続いて、複室容器１に対するカバー具２の取り付け状態について、図４を参照しつつ説明する。図４は、複室容器１にカバー具２が取り付けられた状態、つまり両挟持部材２１，２２が固定位置にあるときの状態を示す断面図である。同図に示すように、カバー具２が取り付けられた状態では、第１挟持部材２１の第１保持具２１２が複室容器１の吊掛穴の一方側（図４の下側）から挿入され、これを貫通して他方側へ突出している。このとき、第１保持部２１２の外周面からは径方向外方に抜け止め片２１３が突出しているため、これが抜け止めとなって第１保持部２１２が吊掛穴１１３から離脱するのを防止している。そして、突出した第１保持部２１２の内部に、第２挟持部材２１の第２保持具２２１が嵌まり、第１係止片２１４と第２係止片２２２とが係止するとともに、第１保持部２１２の係合棒２１５の両端が第２保持部２２１の切欠き２２３に係合する。これにより、両狭持部材２１，２２の固定状態が維持され、両保持部２１２，２２１が吊掛穴１１３に挿入されることで、カバー具２が複室容器１に固定される。また、第１挟持部材２１の押圧部２２４は、第１保持部２１２の周囲で複室容器１の吊掛穴１１３の周囲を押圧する。
【００２８】
次に、第１係止片２１４及び第２係止片２２２について、図５を参照しつつ、さらに詳細に説明する。図５は、両挟持部材２１，２２が固定位置にあるときの、第１係止片２１４及び第２係止片２２２の位置関係を示す拡大断面図である。同図に示すように、第１係止片２１４は、断面三角形状に形成されており、連結方向とほぼ並行に延びる係止面２１４１と、ここから前面側へ第１保持部２１２の内壁面に向かって延びる傾斜面２１４２とを有している。一方、第２係止片２２２は、第１係止片２１４の係止面２１４１と対向する対向面２２２１と、この対向面２２２１と連続して第２保持部２２１の嵌まる方向に延びる延在面２２２２とを有しており、対向面２２２１と延材部２２２２との境界は曲面２２２３で形成されている。
【００２９】
ここで、両挟持部材２１，２２が固定位置にあるときに、第１係止片２１２の係止面２１４１と、第２係止片２２２の対向面２２２１との距離Ｓは０．１５〜０．４５ｍｍであることが好ましく、０．１５〜０．３ｍｍであることがさらに好ましい。０．１５ｍｍより小さいと、後述する曲面を形成する効果が小さくなり、０．４５ｍｍよりも大きいと、取り外し時の接触面積が小さすぎて小さい力でも外れてしまうからである。また、第２係止片２２２の曲面２２２３の曲率半径Ｒは、０．１５〜０．４５ｍｍとすることが好ましく、０．３〜０．４５ｍｍであることがさらに好ましい。０．４５ｍｍよりも大きいと、両係止片２１４，２２２の距離が大きすぎて、輸送中に複室容器１から離脱するおそれがある。一方、０．１５ｍｍよりも小さいと、成形不良時に両係止片２１４，２２２が干渉する可能性があることによる。以上のような寸法を設定する上で、両係止片２１４，２２２の係止状態の解除に要する強度は、５．５〜９．５Ｎにすることが好ましい。この強度は、図６に示すように、固定位置にある両狭持部材２１，２２の間に、ロードセル５００に取り付けられた先端が３０度の三角形状の治具６００を押し込み、係止状態が解除されるまでの最大荷重とすることができる。
【００３０】
続いて、上記のように構成された複室容器キットの使用方法について説明する。まず、カバー具２が装着されていない第２収容室１１２を手などで押圧し、第２収容室１１２の内圧を上昇させることで、仕切り部１１０を開封する。これにより、両収容室１１１，１１２が連通し、薬剤ａ，ｂが混合される。次に、カバー具２を開栓する。すなわち、両挟持部材２１，２２を押し広げて互いに離間させ、第１係止片２１４及び第２係止片２２２の係止状態を解除する。こうして、カバー具２が開栓されると、カバー具の第１挟持部材２１を吊掛穴１１３に取り付けた状態で、第１挟持部材２１の貫通孔２１１及び第１保持具２１２をガートル台のフックに引っ掛ける。その後、複室容器１の排出部１３に、カテーテルのニードルを刺入し、患者に混合後の薬剤を投与する。
【００３１】
以上のように、本実施形態によれば、第２係止片２２２において、対向面２２２１と延在面２２２２との間に曲面２２２３を形成している。すなわち、係止片２１４，２２２の一方に曲面を形成しているため、平面同士を係止させるよりも成形不良が発生したときの取り外し強度の変化を小さくすることができる。例えば、平面同士の係止であれば、両平面のなす角度がずれることで設定された取り外し強度が大きく変化するおれそがあるが、本実施形態のように一方を曲面にした上で取り外し強度を設定しておけば、取り外し時の両係止片２１４，２２２の接触面積が小さいため、成形不良が生じても取り外し強度が大きく変化することを防止することができる。したがって、安定した取り外し強度を実現することができる。
【００３２】
以上、本考案の実施形態について説明したが、本考案は上記実施形態に限定されるものではなく、本考案の趣旨を逸脱しない限りにおいて種々の変更が可能である。例えば、上記実施形態では、第１狭持部材２１の第１係止片２１４を環状に形成し、第２狭持部材２２の第２係止片２２２を円弧状にヒンジ部２３側に形成しているが、両係止片２１４、２２２が係止できるように構成されていれば、これらの形態、形成位置は特には限定されない。また、各保持部２１２，２２１の形状は、円筒状以外に、角筒にすることもできる。また、第１保持具２１２は、第２保持具２２１が嵌まるような凹部が形成されていれば、その形状は特には限定されない。
【実施例】
【００３３】
以下、本考案の実施例について説明する。但し、本考案は、以下の実施例に限定されない。ここでは、図２〜図５に示すような係止片を有するカバー具について実施例１〜３を準備し、図６のような係止片を有するカバー具を比較例とした。各カバー具の詳細は以下の通りである。
【表１】
0003173696.tif 000003
以上のような実施例及び比較例を各８０個用い、図７で説明した方法で開栓試験を行った。結果は以下の通りである。
【表２】
0003173696.tif 000004
この結果から、実施例１〜３では開栓に係る強度が向上するとともに、特に、係止片に曲面が形成されているため、ばらつきが低減していることが分かる。したがって、安定的な開栓が可能となる。
【符号の説明】
【００３４】
１  複室容器
２  カバー具
２１  第１狭持部材
２１２  第１保持部
２１４  第１係止片
２２  第２狭持部材
２２１  第２保持部
２２２  第２係止片
２２２１  対向面
２２２２  延在面
２２２３  曲面
２３  連結部（ヒンジ部）
【図１】
0003173696.tif 000005
【図２】
0003173696.tif 000006
【図３】
0003173696.tif 000007
【図４】
0003173696.tif 000008
【図５】
0003173696.tif 000009
【図６】
0003173696.tif 000010
【図７】
0003173696.tif 000011